(57)【要約】【課題】消費期限あるいは賞味期限の過誤登録を予防するラベル発行装置を提供する。【解決手段】商品に貼付されるラベルを印字し発行するラベル発行装置において、商品の加工日を設定する加工日時設定手段と、複数の日時をカレンダー表示するカレンダー表示手段と、表示されたカレンダー表示から一つの賞味日を選択する日時指定手段と、を備え、カレンダー表示手段は、加工日から賞味日までの日付の欄内の表示態様と、他の欄内の表示態様と、を異ならせることを特徴とするラベル発行装置。【選択図】図２
2014065320.tif 000002
【特許請求の範囲】
【請求項１】
商品に貼付されるラベルを印字し発行するラベル発行装置において、
前記商品の加工日を設定する加工日時設定手段と、
複数の日時をカレンダー表示するカレンダー表示手段と、
表示された前記カレンダー表示から一つの賞味日を選択する日時指定手段と、
を備え、
前記カレンダー表示手段は、前記加工日から前記賞味日までの日付の欄内の表示態様と、他の欄内の表示態様と、を異ならせることを特徴とするラベル発行装置。
【請求項２】
前記カレンダー表示手段は、前記加工日から前記賞味日までの日付の欄内の表示態様として、表示色を異ならせることを特徴とする請求項１に記載のラベル発行装置。
【請求項３】
前記加工日時設定手段は、前記商品の前記加工日を当日の日付時刻より後の日付時刻で設定することを禁止し、
前記設定手段は、前記賞味期間を定める賞味期限、または、前記消費期間を定める消費期限を、当日の日付時刻より後の日付時刻に設定することを特徴とする請求項１又は請求項２に記載のラベル発行装置。
【請求項４】
前記日時に対応する付加情報を記憶する付加情報記憶手段を備え、前記複数日時表示手段は、設定された期間の前記複数の日時をまたがるように、前記付加情報をカレンダーに表示することを特徴とする請求項１から３のいずれかに記載のラベル発行装置。
【請求項５】
前記付加情報記憶手段は、前記付加情報に設定された日時又は期間と、当日とが重複した場合、前記付加情報を表示することを特徴とする請求項４に記載のラベル発行装置。
【発明の詳細な説明】
【技術分野】
【０００１】
本発明は、商品に貼付されるラベルの印字や発行を行うラベル発行装置に関する。
【背景技術】
【０００２】
従来のラベル発行装置では、商品の消費期限あるいは賞味期限をラベルに印字する場合、その商品データに消費日数または消費時間、あるいは賞味日数または賞味時間をキーボードから入力し登録させ、ラベル発行時に対象となる商品を呼び出し、ラベル発行する当日の日付時刻に登録した消費日数または賞味日数あるいは消費時間または賞味時間を加算し、消費期限の日時あるいは賞味期限の日時をラベルに印字していた（例えば、特許文献１参照）。
【０００３】
しかしながら、日々異なる種類の加工済み商品を盛り合わせて一つの商品とするオードブルなどは、商品名称は変わらないが中身がその都度変わるため、予め商品データ内に消費期限を設定していたとしても、盛り合わせ加工済み商品の中で最も消費期限の短い加工済み商品の消費期限に合わせて、消費期限の設定をし直さなければならなかった。その場合、オペレータは、その都度、対象となる商品データの消費日数あるいは消費時間の再設定を行った後にラベルの発行作業を行っていた。
【０００４】
そのため、オペレータが誤って間違った日付時刻（例えば、消費期限切れの日付時刻）を設定してしまう確率が高まり、間違った日付時刻が印字されたラベルが貼付された商品が販売されてしまう危険性があった。実際に間違った日付時刻が印字されたラベルが発行されてしまうと、ラベル表示偽装の問題に発展しかねないという潜在的な問題点があった。ラベル表示偽装が発生してしまうと、顧客からの信用を失うのみならず、社会的（道義的）な責任問題へつながる危険性がある。
【先行技術文献】
【特許文献】
【０００５】
【特許文献１】特開２００３−３４１１５１号公報
【発明の概要】
【発明が解決しようとする課題】
【０００６】
従来のラベル発行装置で、消費期間あるいは賞味期間を設定あるいは変更する時には、時間及び日数をテンキーで置数入力して設定を行っていた。そのため、設定あるいは変更の操作で入力ミスを起こしやすいという問題があった。
通常、加工済み商品の消費期限は、加工（製造）された日時にその商品を安全に食することが出来る期間（日数あるいは時間）を加算してラベル等へ印字するので、オペレータはその期間（日数あるいは時間）を設定画面から入力して、消費期間の登録を行う。このような状況下では、消費期間の設定が正しいかのチェックを人の判断に頼らざるを得ず、設定ミスが起こりやすいという問題があった。また、加工日時が当日でない場合は、すでに設定済みの加工日時に消費日数あるいは消費時間が加算されるため、加工日時を当日と思い込んだオペレータは消費期限を勘違いしてしまう可能性があり、オペレータの単純な勘違い等により入力ミス等を誘発させる原因となっていた。
【０００７】
また、従来のラベル発行装置において、入力された消費期間あるいは賞味期間等は、期間のみが数字で表示されていたため、オペレータがその商品の消費期限または賞味期限を頭の中で計算をして、それらの設定が正しいか否かチェックするので、オペレータの入力ミスや勘違いにより誤ったラベルが発行されてしまうという問題があった。
【０００８】
そこで本発明は、上記問題に鑑みてなされていたものであり、ラベル発行時に使用される日時の過誤登録を予防するラベル発行装置を提供することを課題とする。
【課題を解決するための手段】
【０００９】
本発明は、上記の課題を解決するために、以下［１］−［５］の態様を提供するものである。
［１］商品に貼付されるラベルを印字し発行するラベル発行装置において、前記商品の加工日を設定する加工日時設定手段と、複数の日時をカレンダー表示するカレンダー表示手段と、表示された前記カレンダー表示から一つの賞味日を選択する日時指定手段と、を備え、前記カレンダー表示手段は、前記加工日から前記賞味日までの日付の欄内の表示態様と、他の欄内の表示態様と、を異ならせることを特徴とするラベル発行装置。
第１の発明によれば、加工日から賞味日までの日付の欄内の表示態様と、他の欄内の表示態様と、を異ならせたカレンダー等を用いることで、消費期間あるいは賞味期間を視覚的に把握できるので、オペレータの勘違い等による入力ミスを予防でき、消費期限あるいは賞味期限の過誤登録を予防するラベル発行装置を提供することができる。
【００１０】
［２］前記カレンダー表示手段は、前記加工日から前記賞味日までの日付の欄内の表示態様として、表示色を異ならせることを特徴とする上記［１］に記載のラベル発行装置。
第２の発明によれば、加工日から賞味日までの日付の欄内の表示色と、他の欄内の表示色と、を異ならせたカレンダー等を用いることで、消費期間あるいは賞味期間を視覚的に把握できるので、オペレータの勘違い等による入力ミスを予防でき、消費期限あるいは賞味期限の過誤登録を予防するラベル発行装置を提供することができる。
【００１１】
［３］前記加工日時設定手段は、前記商品の前記加工日を当日の日付時刻より後の日付時刻で設定することを禁止し、前記設定手段は、前記賞味期間を定める賞味期限、または、前記消費期間を定める消費期限を、当日の日付時刻より後の日付時刻に設定することを特徴とする上記［１］又は上記［２］に記載のラベル発行装置。
第３の発明によれば、商品の特売開始日時と特売終了日時とを更に記憶し、商品の特売期間を消費期間あるいは賞味期間と重ねて同じカレンダー等に期間として表示するので、ラベル発行する商品の消費期限あるいは賞味期限が特売期間内であるか否かを容易に目視確認することができるので、入力ミスやラベル発行及び貼付等の作業タイミングのミスを発見し易くなる。
【００１２】
［４］前記日時に対応する付加情報を記憶する付加情報記憶手段を備え、前記複数日時表示手段は、設定された期間の前記複数の日時をまたがるように、前記付加情報をカレンダーに表示することを特徴とする上記［１］から［３］のいずれかに記載のラベル発行装置。第４の発明によれば、日時と対応する付加情報を記憶するので、カレンダーの表示時に記憶した日時のメモ情報を表示することができ、オペレータはメモ情報を確認することにより設定されている日時の詳細を知ることができるので、オペレータに対して注意喚起や作業指示などを行なう事が出来る。
【００１３】
［５］前記付加情報記憶手段は、前記付加情報に設定された日時又は期間と、当日とが重複した場合、前記付加情報を表示することを特徴とする上記［４］に記載のラベル発行装置。
第５の発明によれば、例えば、ラベル発行とその貼付を１０時前までに終了していなければならないことを、オペレータは知ることができる。
【発明の効果】
【００１４】
以上説明したように、本発明によれば、ラベル発行時に使用される日時の過誤登録を予防することができる。
【図面の簡単な説明】
【００１５】
【図１】本発明の一実施形態によるラベル発行装置の外観を示す斜視図である。
【図２】同ラベル発行装置の電気的構成を示すブロック図である。
【図３】ＲＡＭ３０のメモリマップを示す概念図である。
【図４】ラベルの印字例を示す図である。
【図５】カレンダー表示を行うモードとその対象を説明するための表である。
【図６】カレンダーを用いた商品の設定画面の例を示す図である。
【図７】カレンダー上で選択された加工日と賞味日が重なった時の設定画面の例を示す図である。
【図８】カレンダーを用いた商品の賞味期間の設定処理を説明するためのフローチャートである。
【図９】カレンダーを用いた商品の賞味期間の設定処理を説明するためのフローチャートである。
【発明を実施するための形態】
【００１６】
以下、本発明を実施するための形態について、図面を参照して詳細に説明する。図１は、本発明の一実施形態によるラベル発行装置の外観を示す斜視図であり、図２は同ラベル発行装置の電気的構成を示すブロック図である。これらの図において、本体１の内部には、図２に示す制御部が設けられており、この制御部には秤２が接続されている。また、本体１の前面には、第１ラベル印字機構部３ａ及び第２ラベル印字機構部３ｂが設けられるとともに、操作部４が設けられている。上記第１ラベル印字機構部３ａ及び第２ラベル印字機構部３ｂは、任意の文字、数字、及び画像をドット単位で印字する。
【００１７】
これら第１ラベル印字機構部３ａ及び第２ラベル印字機構部３ｂにはそれぞれ異なるラベル用紙が装着され、第１ラベル印字機構部３ａ及び第２ラベル印字機構部３ｂの何れか一方を選択し、目的に合ったラベル用紙に印字ができるようになっている。例えば、第１ラベル印字機構部３ａには通常の値付ラベルを装着して通常商品の値付ラベル（図４（ｂ）参照）を印字し、第２ラベル印字機構部３ｂには、ＰＯＰ印字付きの値付ラベル（図４（ａ）参照）を装着して特売商品の値付ラベルを印字できるようになっている。
【００１８】
上記操作部４には、テンキー５、品番キー６、操作・表示部８等が設けてある。上記品番キー６は、上記テンキー５とあわせて使用され、商品の品番入力時に使用される。上記操作・表示部４は、液晶表示器８ａ（図２参照）の上面にタッチパネル８ｂ（図２参照）が積層された構造をしている。また、上記操作部４には、コネクタ９を介してイメージスキャナ１０が接続されている。このイメージスキャナ１０は図形を読み込み、これにより、読み込んだ図形をラベル用紙に印字することが可能となる。また、このイメージスキャナ１０は、お客にアピールするためにラベル上に印字するイメージデータを読み込むためにも使用される。
【００１９】
図２に示す装置各部を制御して処理を行うＣＰＵ（中央処理装置）２０は、操作部４から入力された入力データ、イメージスキャナ２０によって読み込まれたイメージデータ、及び秤２から入力された重量データ等の各種入力データを処理する入力処理、第１ラベル印字機構部３ａ，３ｂの印字動作を制御する印字処理、種々の情報を液晶表示器８ａへ出力する表示処理、後述する各種ファイルの内容の設定を行う設定処理、及び印字データを作成する印字データ作成処理等を行う。また、ＣＰＵ２０は本体１の動作モードを、ラベルを印字して値付ラベルを発行する値付モード、後述する各種ファイルの設定を行う設定モード、ラベル発行結果の報告等を行うレポートモード、及び本体１のメンテナンスモード等に切り換える。
【００２０】
上記秤２、第１ラベル印字機構部３ａ，第２ラベル印字機構部３ｂ、イメージスキャナ１０、液晶表示器８ａ、各種キー及びスイッチ８ｃ、及びタッチパネル８ｂは、図２に示されるように、ロードセル制御部２１、印字制御部２２、スキャナ制御部２３、表示制御部２５、及び操作制御部２４を介して、それぞれ、ＣＰＵ２０と接続されており、秤２に商品が載置された場合には、その商品の重量がロードセル制御部２１を介して計量データとしてＣＰＵ２０へ出力される。ＲＯＭ（Ｒｅａｄ  Ｏｎｌｙ  Ｍｅｍｏｒｙ）４０には、上述したＣＰＵ２０の処理制御用の各種プログラム、即ち、入力処理プログラム、印字処理プログラム、表示処理プログラム、設定処理プログラム及び印字データ作成処理プログラム等が格納されている。
【００２１】
キャラクタジェネレータＲＯＭ（以下、キャラジェネＲＯＭと称する）３５には、数字、アルファベット、かな、漢字、カンマ及び記号等の各文字のフォントデータが複数種類記憶されている。このキャラジェネＲＯＭ３５は同一の文字、即ち、文字コードが同一であっても異なるフォントデータを複数備えている。各文字は、文字の種類及び文字の書体毎にフォントとして区分されており、各々のフォント対してはフォント番号が割り振られている。このキャラジェネＲＯＭ３５は同一の文字、即ち、文字コードが同一であっても異なるフォントデータを複数個備えている。各文字は、文字の種類及び文字の書体毎にフォントとして区分されており、各々のフォントに対してはフォント番号が割り振られている。このキャラジェネＲＯＭ３５はフォント番号が“２０”未満の文字に対応している。ＣＰＵ２０は、カレンダー機能を備えた時計部３７から現在の日付（年月日）及び時刻のデータを得ることができる。
【００２２】
また、３０はＲＡＭ（Ｒａｎｄｏｍ  Ａｃｃｅｓｓ  Ｍｅｍｏｒｙ）であり、図３に示されるように、ＣＰＵ２０が各種処理を行う際に使用されるフラグ、レジスタ等が設定されるワーキングエリア３０ａ、フォントファイル３０ｂ、印字フォーマットファイル３０ｃ、特売ファイル３０ｄ、商品ファイル３０ｅおよびカレンダーメモファイル３０ｆ等の記憶領域が設けられている。図３はＲＡＭ３０のメモリマップを示す概念図である。ＲＡＭ３０に設けられた種々の記憶領域の内、上記印字フォーマットファイル３０ｃ、特売ファイル３０ｄ、商品ファイル３０ｅおよびカレンダーメモファイル３０ｆの記憶領域はバッテリバックアップが施されており、本体１の電源を落とした場合でも、それらのファイルの内容は失われないようになっている。
【００２３】
次に、カレンダー表示を行うモードとその対象について説明する。図５は、カレンダー表示を行うモードとその対象を説明するための表４０である。カレンダー表示を行うモード４０ａには、日付モード、設定モード、値付モードの３つのモードがある。それぞれのモードには、設定すべき設定対象４０ｂがあり、個々の設定対象４０ｂには、それぞれの設定項目４０ｃがある。また、設定時には、液晶表示器８ａに表示されるカレンダーの欄外上部で、液晶表示器８ａ上に、設定項目４０ｃに即した項目４０ｄが表示される。
【００２４】
まず、日付モードは、装置の日付時刻を設定するモードで、オペレータが今日の日付時刻を目視確認し設定するものである。日付モードは、装置を立ち上げたときに、最初に表示される。
【００２５】
次に、設定モードは、装置に商品データや予約データを入力するモードであり、オペレータは、メニュー画面から商品の登録か予約の設定かを選択して登録を行う。設定対象４０ｂにある商品の登録とは、商品固有のデータ登録のことである。商品データの登録時には、オペレータは商品固有の過去固定日時（例えば、加工日時）、未来固定日時（例えば、賞味期限または消費期限）といった設定項目４０ｃと対応する画面に表示された項目をタッチすると、ＣＰＵ２０は、液晶表示器８ａの画面に月ごとのカレンダーを表示し、その日付欄（升目）にその日時の名称（例えば、加工日時）を表示させる。ここで、過去固定日時とは、例えば、樽を開けた日、またはある単位で物をまとめて製造した日など、決して変わることがない固定の日時である。同様に、未来固定日時とは、例えば、ある日時にまとめて製造した食品（例えば、塩辛）の賞味期限であり、これも決して変わることがない固定の日時である。通常は、当日食品を製造（加工）するので当日の日付時刻に消費期間や賞味期間を加算して、消費期限や賞味期限をラベルに印字するが、上記の例のように、ある日時にまとめて製造した食品（例えば、塩辛）を小分けしパックする度に、消費期限や賞味期限が変わってしまうと、正しい消費期限や賞味期限を印字できないという問題がある。そこで、固定の消費期限や固定の賞味期限をラベルに印字させるために、商品固有の過去固定日時、未来固定日時を設定することとする。最後に、設定モードにおける予約の設定とは、ラベル貼付作業期間、販売期間あるいは特売期間などのスケジュールの開始日時と終了日時を登録することである。
【００２６】
次に、値付モードについて説明する。値付モードとは、ラベルを印字発行するモードであり、ラベル発行する対象商品の日時設定対象４０ｂは、加工日時・賞味期間（または消費期間）の変更、過去固定日時・未来固定日時の変更を行うことができる。オペレータは、ラベル発行を行う値付画面に表示する日時変更の対象となる細目の項目をタッチすることにより、設定対象４０ｄの変更画面に自由に遷移して、各日時を変更することができる。
【００２７】
次に、設定モード及び値付モードにおいて、「加工日時」、「賞味期間」または「製造日時」等を入力する方法について説明する。例えば、賞味期間を入力する場合、オペレータが、液晶表示器８ａに商品の各細目のうち変更対象である賞味期限の項目がタッチされるとカレンダーを表示させ、表示されたカレンダーの日付の欄をタッチすることによって、ＣＰＵ２０は、液晶表示器８ａの画面をカレンダー表示画面から日時設定の変更画面に遷移させる。オペレータは、液晶表示器８ａに表示された加工日時とタッチされた日時とから算出された賞味期間を再度カレンダーの日付欄をタッチすることにより変更入力することができる。ＣＰＵ２０は、前記タッチあるいは入力された日時を一時的にＲＡＭ３０に保存し、液晶表示器８ａの画面を日時設定の変更画面からカレンダー表示画面に戻す。ＣＰＵ２０は、新たに設定された賞味期限に該当するカレンダーの日付欄に「賞味期限」と表示させる。ＣＰＵ２０は、設定あるいは変更された賞味期間を、ＲＡＭ３０中に存在するその商品を記憶する商品ファイルの商品データへ記憶する。
【００２８】
ここで、加工した日時または製造日時を当日の日付時刻より後（未来）の日付時刻で設定することは、食品偽装表示に該当するので、禁止することとする。また、賞味期限または消費期限は、設定時より将来の日時を指定するものであるから、賞味期限または消費期限は、当日の日付時刻より後（未来）の日付時刻を設定することとする。また、上記と同様に、過去固定日時または未来固定日時の変更を行うことができる。ＣＰＵ２０は、設定あるいは変更された過去固定日時または未来固定日時を、ＲＡＭ３０中に存在するその商品を記憶する商品ファイルの商品データへ記憶する。
【００２９】
次に、カレンダー表示の切り替え方法について説明する。カレンダー表示には、月表示と週表示の２つがあり、オペレータは月表示と週表示を切り替えることができる。具体的には、図面は省略するが、カレンダー画面表示時に、ＣＰＵ２０は、図６または図７のカレンダー欄外上部で、液晶表示器８ａ上に「月表示／週表示」切替ボタンを表示させる。カレンダーが週表示の場合には、ＣＰＵ２０は「月表示／週表示」切替ボタンを「週表示」と表示させる。オペレータが、「週表示」ボタンをタッチすると、ＣＰＵ２０は、カレンダー表示を月表示に切り替え、「月表示／週表示」切替ボタンの表示が切り替わった後のカレンダーの表示形式を「月表示」に変更する。一方、カレンダーが月表示の場合に、オペレータが「月表示」と表示されている「月表示／週表示」切替ボタンをタッチすると、ＣＰＵ２０は、カレンダー表示を週表示に切り替え、「月表示／週表示」切替ボタンの表示が切り替わった後のカレンダーの表示形式を「週表示」に変更する。ここで、デフォルトでは、カレンダー表示形式は月表示であり、現在の月のカレンダーを表示し、週表示に切り替わった時には、現在の週のカレンダーを表示することとする。
【００３０】
次に、現在の日付を包含する月または週のカレンダーに切り替える方法について説明する。図面は省略するが、カレンダー画面表示時に、ＣＰＵ２０は、図６または図７のカレンダーの欄外上部で、液晶表示器８ａ上に表示された「今日」という操作ボタンを表示させる。オペレータが「今日」ボタンをタッチすると、ＣＰＵ２０は、今日の日付の月、または週のカレンダーを表示させる。
【００３１】
次に、カレンダーの年月を移動する方法について説明する。オペレータがカレンダーの年月を変更する場合、図５において「年月」ボタン５０ａ（この例では、「２００９年４月」と表示されている）をタッチすると、ＣＰＵ２０は「年月」ボタン５０ａの「年月」という表示上に下線のカーソルを表示し、テンキー入力を受け付ける状態に変更させる。次にオペレータがテンキー５で年月を入力し、入力を確定するために、その「年月」ボタン５０ａをタッチすると、ＣＰＵ２０は、その変更された年月のカレンダーを表示させる。
【００３２】
また、カレンダーが月表示の場合、ＣＰＵ２０は、図６のカレンダー５０において「前月」５０ｂおよび「次月」５０ｃへ切り替えるための切り替えボタンを表示する。オペレータが、「前月」ボタンをタッチすると、ＣＰＵ２０は前月のカレンダーを表示し、「次月」ボタンをタッチすると、ＣＰＵ２０は次月のカレンダーを表示する。また、オペレータが「月表示」と表示された「月表示／週表示」切替ボタンをタッチすると、ＣＰＵ２０はカレンダーを週表示に切り替え、図６のカレンダー５０の「前月」５０ｂの表示を「前週」に変更し、「次月」５０ｃの表示を「次週」に変更して、液晶表示器８ａ上に表示する。オペレータが、「前週」ボタンをタッチすると、ＣＰＵ２０は前週のカレンダーを表示し、「次週」ボタンをタッチすると、ＣＰＵ２０は次週のカレンダーを表示する。
【００３３】
なお、指定した月数または週数分のカレンダーを遷移させることもできる。具体的には、オペレータがテンキー５を用いて置数入力して「前月」または「次月」のボタンをタッチすると、ＣＰＵ２０は、置数入力した月数分、カレンダーを遷移させる。例えば、オペレータがテンキー５を用いて２と打った後に「前月」のボタンをタッチすると、ＣＰＵ２０は、２ヶ月前のカレンダーを液晶表示器８ａに表示させる。同様にして、カレンダーが週表示の時には、オペレータがテンキー５を用いて置数入力した後に「前週」または「次週」のボタンをタッチすると、ＣＰＵ２０は、それぞれ置数入力した週数分、カレンダーを遷移させる。このように、カレンダーが月表示時には、テンキー５で置数した月数分、週表示には置数した週数分、カレンダーの表示を移動させることができる。
【００３４】
次に、カレンダーの週表示の起点を変更する方法について説明する。ラベル発行装置１には、カレンダーでの週表示の起点を日曜日、月曜日のいずれかに設定するセットアップモードがある。セットアップモード画面において、ＣＰＵ２０は液晶表示器８ａに「週表示起点」切り替えボタンを表示する。オペレータが、カレンダー表示の最初の曜日として「日曜日」のボタンをタッチすると、ＣＰＵ２０は週表示又は月表示の曜日起点を日曜日とすることをＲＡＭ３０に保存し、オペレータが、「月曜日」のボタンをタッチすると、ＣＰＵ２０は週表示又は月表示の曜日起点を月曜日とすることをＲＡＭ３０に保存する。ここで、デフォルトでは、月曜日を起点とすることとする。
【００３５】
次に、カレンダー表示画面の終了方法について説明する。図面は省略するが、カレンダー画面表示時に、ＣＰＵ２０は、図６または図７のカレンダー欄外上部で、液晶表示器８ａ上に「設定なし」および「中止」ボタンを表示させる。また、図６に示すように、カレンダー内の右上に「終了」ボタン５９を表示させる。オペレータが「設定なし」ボタンをタッチすると、ＣＰＵ２０は現在変更しようとしている日付の設定を無効にして、カレンダー画面を終了する。また、オペレータが、「中止」ボタンをタッチすると、ＣＰＵ２０はその日付の設定の変更をせずに、カレンダー画面を設定前の状態に戻す。最後に、オペレータが、「終了」ボタンをタッチすると、ＣＰＵ２０はカレンダー画面の設定をＲＡＭ３０に保存してカレンダー表示画面を終了する。カレンダー画面が終了すると、各モードの設定画面へ戻る。
【００３６】
次に、設定モードの予約設定の細目である特売期間の設定方法について説明する。オペレータが、特売期間を設定するために、特売開始日２００９年４月１６日（月）の日付の欄をタッチすると、ＣＰＵ２０は、液晶表示器８ａの画面をカレンダー表示から日時設定画面に変更させる。次に、オペレータは、画面に表示された期間の選択で「特売期間」を選択し、テンキー５で特売開始日時を入力するかもしくはタッチパネル８ｂの＋または−のアイコンをタッチして特売開始日時を入力し、さらに上記と同じ方法で、特売終了日時を入力する。また、その特売期間のメモ情報である「生鮮食品の最終品出し５時」をタッチパネル８ｂで入力する。ＣＰＵ２０は、それらの日時とメモ情報を一時的にＲＡＭ３０に保存し、液晶表示器８ａの画面をカレンダー表示に戻し、図６に示すように入力した特売開始日に相当するカレンダーの日付欄に「特売期間」５６を表示させ、その隣に、メモ情報５７「生鮮食品の最終品出し５時」を表示させる。なお、メモ情報は、メモ情報に設定された日時と当日（現在日時）とが重複した時に表示することとする。また、当日（現在日時）が設定期間内である時に、メモ情報を表示するようにしても良い。これによって、ラベル発行とその貼付は１０時前までに終了していなければならないことをオペレータは知ることができる。また、ＣＰＵ２０は、特売期間に相当するカレンダーの日付欄に網掛けをかける。これによって、値札貼付時に、オペレータは特売期間を商品の賞味期間と区別して認識できる。
【００３７】
次に、設定モード及び値付モードで入力した情報を保存する方法について説明する。ＣＰＵ２０は、新たに日時が入力されるか、もしくは設定された日時が変更されると、カレンダー欄外下部で液晶表示器８ａ上に、「設定」ボタンを表示させる。この「設定」ボタンの表示または非表示により、設定されている情報に変更が有ったか否かを容易に目視判断することができる。オペレータがその「設定」ボタンをタッチすると、ＣＰＵ２０は、入力または変更した情報をＲＡＭ３０に保存する。また、入力した内容を保存して終了する場合、オペレータが図６の「終了」ボタン５９をタッチすると、ＣＰＵ２０は、入力した情報をＲＡＭ３０に保存して、カレンダー画面を終了する。
【００３８】
次に、商品のラベルを発行する値付モードにおける具体的な処理について説明する。まず、ラベル発行を行う値付モードにおける商品の加工日時と賞味期限の設定方法について説明する。加工日時の設定モードは３つのモードがあり、１つはその都度、加工日時を設定するモードであり、オペレータは以下のようにして加工日時を設定する。ラベル発行を行う値付け画面に表示された加工日をタッチすると、ＣＰＵ２０は、設定モードで予め設定された設定情報（例えば、特売期間）をＲＡＭ３０から読み込み、液晶表示器８ａに一月分のカレンダー５０を表示させ、現在のカレンダーの日付の欄に、現在の日付を示す星印５８を表示させる。オペレータは、その商品の加工日時を入力するために、加工日時（例えば、２００９年４月１５日（水））の日付の欄をタッチすると、ＣＰＵ２０は、液晶表示器８ａの画面をカレンダー表示から日時設定画面に変更する。次に、オペレータにより更に細かく時間を設定する場合は、テンキー５で何時何分といった加工時間（例えば、１０：００）を入力するかもしくはタッチパネルをタッチして加工時間を入力すると、ＣＰＵ２０は、そのタッチされた日付と入力された加工時間とに基づく加工日時を一時的にＲＡＭ３０に保存し、液晶表示器８ａの画面をカレンダー表示に戻し、図６に示すように入力した加工日時に相当するカレンダーの日付欄に「加工日」５４を表示させる。
【００３９】
前記以外のモードとして、ラベル発行する当日を加工日時とするモードがあり、その場合現在日時が自動的に加工日時に設定される。もう１つのモードは過去固定日時を加工日時とする場合であり、この場合も予め設定されている過去固定日時が自動的に加工日時として設定される。
次に、同様にして、オペレータは値付モードにおいて、商品設定の細目である賞味期限をタッチすると、ＣＰＵ２０はカレンダーを表示させる。オペレータが賞味期限に相当するカレンダーの日付の欄をタッチすると、ＣＰＵ２０は、液晶表示器８ａの画面をカレンダー表示から日時設定画面に変更する。次に、オペレータにより更に細かく時間を設定する場合は、テンキー５で何時何分といった賞味時間（例えば、２２：００）を入力するかもしくはタッチパネル８ｂをタッチして何時何分といった賞味時間を入力すると、ＣＰＵ２０は、そのタッチされた日付と入力された賞味時間に基づく賞味期間を一時的にＲＡＭ３０に保存し、液晶表示器８ａの画面をカレンダー表示に戻す。ＣＰＵ２０は、図６に示すように入力した賞味期限に相当するカレンダーの日付の欄に「賞味期限」５５を表示させ、加工日から賞味日までの日付の欄の表示色を変更させ、賞味期間の日数を計算し、賞味日数表示欄５２に表示させる。賞味期限が未来固定日時の設定である場合には、自動的に予め設定されている未来固定日時が賞味期限として設定される。なお、消費期限に関しても、賞味期限と同様の操作及び手順で設定されることとする。ＣＰＵ２０は、設定または変更された賞味期間または消費期間を、ＲＡＭ３０中に存在するその商品が記憶されている商品ファイルの商品データに記憶する。
【００４０】
以上により、オペレータは、特売開始日と特売終了日が加工日と賞味日の間に表示されていることを確認でき、これによって、設定された加工日や賞味日が特売期間内に設定されているか否かを容易に目視確認することができるので、ラベル発行及び貼付作業のタイミングミスを発見し易くなる。さらに、オペレータはこのメモ情報５７ｂを確認することにより設定されている日時の詳細を知ることができるので、オペレータに対して注意喚起や作業指示などを行なう事が出来る。
【００４１】
次に、加工日と賞味日が重なった時の処理について説明する。図７に液晶表示器８ａ上で選択された加工日と賞味日が重なった時の入力画面の例を示す。同図において、ＣＰＵ２０は、設定情報をＲＡＭ３０から読み出し、液晶表示器８ａに一月分のカレンダー６０を表示し、現在の日付を示す星印６４ｂ、未来の特売期間６５ａおよびそのメモ情報「生鮮食品は１０時品出し」６５ｂを表示させる。
【００４２】
オペレータが、値付モードにおいて、図示されていないラベル発行を行う値付け画面の加工日時の項目をタッチすると、ＣＰＵ２０はカレンダーを液晶表示器８ａに表示させ、予め設定されている加工日時に相当するカレンダーの日付の欄に「加工日」６４を表示させる。ここで、星印は、加工日時が変更できないことを示している。次に、オペレータは、上記に示した方法で賞味期間を入力する。その際、加工日時と賞味期限の日付時刻が同一の場合、ＣＰＵ２０は、日付の欄６４ａの表示色を変更し、案内表示６３に入力の訂正を促すメッセージ（例えば「時刻が重なっています。訂正してください。」）を表示させる。これによって、オペレータに賞味期間の入力が間違っていることを喚起することができる。また、その後の処理において、オペレータが正しい賞味期間を再度入力し、ＣＰＵ２０が賞味日数６２を計算することで、正しい賞味期限を設定することができる。
【００４３】
次に、ラベル発行を行う値付モードにおいて、カレンダーを用いた商品の賞味期間と特売期間の設定処理について、図８および図９のフローチャートを参照して説明する。まず、図示されていないラベル発行を行う値付け画面で、商品の呼び出しを行う。オペレータは商品番号をテンキーで入力し、ＣＰＵ２０は入力された商品番号をＲＡＭ３０に記憶する（ステップＳ７０1）。次に、ＣＰＵ２０は設定されている商品データとある特定の日時および期間、その日時および期間に付加されている情報を呼び出す（ステップＳ７０２）。値付け画面に、前記商品の各細目が項目名と伴に画面表示される。オペレータにより、図示されていないラベル発行を行う値付け画面に表示されている商品の各細目の日時設定を行う項目がタッチされると、ＣＰＵ２０は、液晶表示器８ａに当月のカレンダー５０を表示すると供に、「特売期間」５６とその付加情報５７である「生鮮食品の最終品出し５時」をカレンダー上に表示させる。また、呼び出された商品データに予め賞味期間または消費期間が設定されている場合には、ＣＰＵ２０は、前記カレンダーへ表示を行う。
【００４４】
加工日時を設定する場合、３つのモードがあり、その都度手動で設定する場合は、オペレータが、ラベル発行を行う値付け画面に表示されている加工日の項目をタッチすると、ＣＰＵ２０は、カレンダーを液晶表示器８ａに表示するので、オペレータが当該カレンダーの該当する日付の欄をタッチして、加工日時を入力する（ステップＳ７０３）。入力された加工日時に基づいて、ＣＰＵ２０は、加工日時が当日の日時よりも後（未来）の場合（ステップＳ７０４  ＹＥＳ）、エラーメッセージを案内表示欄５３に表示させ（ステップＳ７０５）、オペレータは、加工日時を再入力する（ステップＳ７０３）。次に、加工日時が当日の日時よりも前（過去）の場合（ステップＳ７０４  ＮＯ）、入力された情報を基に、ＣＰＵ２０は加工日時をＲＡＭ３０に記憶し、カレンダーの日付欄に「加工日」５４を表示させる。なお、自動で当日の日時を加工日時とする場合は、自動で現在日時が加工日時として設定される。また、加工日時の設定が過去固定日時である場合は、エラーメッセージを表示することなく、過去固定日時が加工日時として自動設定される。
【００４５】
次に、オペレータは、ラベル発行を行う値付け画面の賞味期限の項目をタッチし、賞味期間を入力する（ステップＳ７０６）。表示されたカレンダーの該当する日付をタッチすることにより、タッチされた日付（日時）を賞味期限（賞味期限の日時）とし、賞味期間を算出する。賞味期限を設定し賞味期間を算出したＣＰＵ２０は、設定した賞味期限が当日の日時より前（過去）の場合（ステップＳ７０７  ＹＥＳ）、エラーメッセージを案内表示欄５３に表示させ（ステップＳ７０８）、オペレータが、賞味期間を再入力することになる（ステップＳ７０６）。また、賞味期限を未来固定日時とする設定の場合には、未来固定日時が自動的に賞味期限として設定される。
【００４６】
次に、賞味期限が設定当日の日時より後（未来）の場合において（ステップＳ７０７  ＮＯ）、ＣＰＵ２０は、加工日時と賞味期限を比較する。加工日時と賞味期限の時刻まで同一ならば（ステップＳ７０９  ＹＥＳ）、賞味期間の入力に間違いがあるので、ＣＰＵ２０は、加工日時と賞味期限とが重なった日付に対応するカレンダーの日付欄の色をエラーであることを示す色に変え、賞味期間の入力の訂正を促すメッセージ（例えば、「時刻が重なっています。訂正してください。」）を案内表示欄５３に表示させる（ステップＳ７１１）。加工日時と賞味期限が時刻まで同一でないならば（ステップＳ７０９  ＮＯ）、ＣＰＵ２０はカレンダーの日付欄に「賞味期限」５５と表示させ、加工日時から賞味期限までのカレンダーの日付欄の色を正しく設定されたことを示す色に変更する（ステップＳ７１３）。また、ＣＰＵ２０は、賞味期限から加工日時を差分することによって、賞味日数（賞味期間）を計算し（ステップＳ７１５）、その賞味日数（賞味期間）をＲＡＭ３０に記憶し、賞味日数（賞味期間）からを表示欄５２に表示する（ステップＳ７１７）。前記賞味期間の設定が完了すると、図示はしていないが、ＣＰＵ２０は印字制御部２２に制御信号を出力し、印字制御部２２は第１ラベル印字機構部３ａまたは第２ラベル印字機構部３ｂを制御して、前記設定された賞味期限をラベルに印字しラベルを発行する。
【００４７】
次に、オペレータは、特売日時を設定する項目をタッチして、特売期間をカレンダー表示から設定する。まず、オペレータは商品の特売開始日をカレンダーの日付をタッチして入力し、ＣＰＵ２０は特売開始日をＲＡＭ３０に記憶する（ステップＳ７１９）。次に、オペレータは、商品の特売終了日時をカレンダーの日付をタッチして入力する（ステップＳ７２１）。
【００４８】
ステップＳ７０９と同様に、特売開始日時と特売終了日時が同一ならば（ステップＳ７２３  ＹＥＳ）、ＣＰＵ２０は、特売開始日時と特売終了日時とが重なった日付に対応するカレンダーの日付欄の色をエラーであることを示す色に変え、案内表示欄５３に訂正を促すメッセージ（例えば、「時刻が重なっています。訂正してください。」）を表示させる（ステップＳ７２５）。それに従って、オペレータは特売終了日時を再入力する（ステップＳ７２１）。特売開始日時と特売終了日時が同一でないならば（ステップＳ７２３  ＮＯ）、ＣＰＵ２０は特売期間に対応するカレンダーの日付欄に網掛け（例えば、斜線）を掛け、特売開始日時と特売終了日時をＲＡＭ３０に記憶する。
【００４９】
なお、賞味期間と特売期間の一部期間または全期間が重なる時には、特売期間を賞味期間と区別して表示させるために、特売期間に対応するカレンダーの日付欄の色を賞味期間に対応するカレンダーの日付欄の色とは別の色に変更したり、特売期間に対応するカレンダーの日付欄の模様を変更したりしてもよい。また、色別でそれぞれの期間を区別して表示させる場合、２つの色が重なった場合には、日付が重なる欄を２つの色の中間色で表示させるようにしてもよい。これらの方法により、オペレータは特売期間を賞味期間と区別して認識することができる。
【００５０】
以上のように、賞味期間と特売期間が重なった場合には、その日に対応するカレンダーの日付欄の表示色が変更されたり、網掛けなどの模様が付加されたりするので、オペレータは間違った入力を視覚的に認識でき、オペレータの入力ミスや作業タイミングのミスを防ぐことができる。また特売期間のカレンダーの表示欄を変更することにより、特売期間の起点日時である特売開始日時を目視把握することが容易になる。
【００５１】
次に、オペレータはタッチパネル８ｂ上で、タッチパネルを用いてメモ情報を入力する。ＣＰＵ２０は入力された情報をＲＡＭ３０に記憶し、作業確認などでカレンダーを表示した時に、その日付の欄にメモ情報を表示させる（ステップＳ７２９）。図６の例を挙げて説明すると、今日が４月２１日であり作業確認のためカレンダーを表示させると、ＣＰＵ２０は特売期間５６の隣に、メモ情報５７「生鮮食品の最終品出し５時」を表示させる。これにより、オペレータは販売終了日である本日（４月２１日）のラベル発行とその貼付とを５時までに作業終了しなければならないことが分かる。以上のように、カレンダーに設定された日付にメモ情報を表示させることによって、オペレータは設定されている日時の詳細を知ることができるので、オペレータに対して注意喚起や作業指示などを行なう事が出来る。
【００５２】
最後に、訂正がある場合には（ステップＳ７３１  ＮＯ）、オペレータは上記操作と同様の操作をして、訂正をする（ステップＳ７３３）。訂正が無い場合は、「これでよろしければ、終了をタッチしてください」という案内表示５３に従って、オペレータは終了ボタン５９をタッチすると、ＣＰＵ２０はそれまでに変更した情報をＲＡＭ３０に保存し（ステップＳ７３１  ＹＥＳ）、カレンダー画面を終了する。
【００５３】
以上により、タッチパネル上に表示されたカレンダーを用いて、消費期限または賞味期限に対応するカレンダー上の日付をタッチして、消費期間または賞味期間を登録する処理を行うことで、オペレータの勘違い等による入力ミスや作業タイミングのミスを予防することができる。また、数値入力に比べると、単純な入力ミスを少なくすることができる。
【００５４】
以上、本発明の実施形態について図面を参照して詳述したが、具体的な構成はこの実施形態に限られるものではなく、この発明の要旨を逸脱しない範囲の設計等も含まれる。
【００５５】
[付記１]
商品に貼付されるラベルを印字し発行するラベル発行装置において、
前記商品の加工日時を当日の日付時刻より後の日付時刻で設定することを禁止する加工日時設定手段と、
複数の日時を時間順に表示する複数日時表示手段と、
前記複数の日時の中に前記加工日時を表示する加工日時表示手段と、
表示された前記複数の日時から一つの日時を選択する日時指定手段と、
表示された前記加工日時と前記日時指定手段で選択された日時とに基づき、前記商品の消費期間あるいは賞味期間を前記商品に設定する設定手段と、
を備えることを特徴とするラベル発行装置。
[付記２]
前記設定手段は、前記賞味期間を定める賞味期限、または、前記消費期間を定める消費期限を、当日の日付時刻より後の日付時刻に設定することを特徴とする付記１に記載のラベル発行装置。
[付記３]
前記商品の特売開始日時と特売終了日時とを記憶する記憶手段と、
前記特売開始日時と前記特売終了日時とに基づき、前記商品の特売期間を算出する特売期間算出手段と、
算出された前記特売期間、前記消費期間あるいは前記賞味期間とを前記複数の日時に期間として表示する期間表示手段と、
を備え、
前記期間表示手段は、前記期間表示されるそれぞれの日時が重複した場合、設定された期間の前記複数の日時をまたがるように、重複を示す表示をカレンダーに表示する重複表示手段を更に備えたことを特徴とする付記１又は付記２に記載のラベル発行装置。
[付記４]
前記日時に対応する付加情報を記憶する付加情報記憶手段を備え、前記複数日時表示手段は、設定された期間の前記複数の日時をまたがるように、前記付加情報をカレンダーに表示することを特徴とする付記１から３のいずれかに記載のラベル発行装置。
[付記５]
前記付加情報記憶手段は、前記付加情報に設定された日時又は期間と、当日とが重複した場合、前記付加情報を表示することを特徴とする付記４に記載のラベル発行装置。
【符号の説明】
【００５６】
８ 操作・表示部（画面表示器および入力手段）
８ａ 液晶表示器
８ｂ  タッチパネル
８ｃ  キーおよびスイッチ
２０ ＣＰＵ（中央演算装置）
３０ ＲＡＭ
５０  カレンダーを用いた日付入力画面
６０  加工日と賞味日が重なった時の入力画面
【図１】
2014065320.tif 000003
【図２】
2014065320.tif 000004
【図３】
2014065320.tif 000005
【図４】
2014065320.tif 000006
【図５】
2014065320.tif 000007
【図６】
2014065320.tif 000008
【図７】
2014065320.tif 000009
【図８】
2014065320.tif 000010
【図９】
2014065320.tif 000011